(57)【特許請求の範囲】
【請求項１】
着用者の腹側に配される腹側シート部材と、着用者の背側に配される背側シート部材と、該腹側シート部材及び該背側シート部材に架け渡して固定された吸収性本体とを具備し、該腹側シート部材と該背側シート部材の両側縁部に、該腹側シート部材と該背側シート部材とが接合されて形成された一対のサイドシール部を有するパンツ型吸収性物品であって、
前記背側シート部材は、物品縦方向の長さが前記サイドシール部の長さより長く、一対の前記サイドシール部間に位置する背側本体部と、該背側本体部及び該サイドシール部より下方に延出する背側延出部とを有し、
前記背側本体部は、着用者の腸骨稜から上前腸骨棘にかけての部位に当接する腸骨領域と、該腸骨領域の上方に位置するウエスト領域と、該腸骨領域の下方に位置する胴回り領域とを有し、
前記腹側シート部材及び前記背側シート部材は、前記パンツ型吸収性物品の外面をなす外側シートと、該外側シートの内面に配された内側シートと、該外側シートと該内側シートとの間に物品横方向に伸長状態で配された複数本の糸状の弾性部材とを備え、
前記背側シート部材の前記背側本体部では、前記外側シート及び前記内側シートが、物品縦方向に隣り合う前記弾性部材どうしの間に配された本体部接合部で互いに接合され、
前記背側シート部材の前記背側延出部では、前記外側シート及び前記内側シートが、物品縦方向に隣り合う前記弾性部材どうしの間に配された延出部接合部で互いに接合されており、
前記パンツ型吸収性物品の伸長状態において、少なくとも前記胴回り領域では、前記本体部接合部が物品縦方向に平行に間欠的に配された接合部列が、物品横方向に間欠的に配されており、１つの該接合部列に着目して、１つの該接合部列の下方に位置する物品縦方向に間欠的に配された複数の前記延出部接合部の内の少なくとも１個は、その物品横方向中心が、該１つの接合部列を構成する前記本体部接合部の物品横方向中心から物品横方向にずれているパンツ型吸収性物品。
【請求項２】
前記パンツ型吸収性物品の伸長状態において、前記１つの接合部列と物品横方向に隣り合う別の接合部列との間隔を二等分する物品縦方向に延びる本体部二等分線と、前記物品横方向にずれている物品横方向中心を有する延出部接合部と前記別の接合部列の下方に位置し且つ物品横方向に隣り合う別の延出部接合部との間隔を二等分する物品縦方向に延びる延出部二等分線とは、物品横方向にずれている請求項１に記載のパンツ型吸収性物品。
【請求項３】
前記１つの接合部列の下方に位置する物品縦方向に間欠的に配された複数の前記延出部接合部の全ては、各物品横方向中心が、該１つの接合部列を構成する前記本体部接合部の物品横方向中心から物品横方向にずれている請求項１又は２に記載のパンツ型吸収性物品。
【請求項４】
前記パンツ型吸収性物品の伸長状態において、前記１つの接合部列と物品横方向に隣り合う別の接合部列との間隔と、前記物品横方向にずれている物品横方向中心を有する延出部接合部と物品横方向に隣り合う別の延出部接合部との間隔とが、等しい請求項１〜３の何れか１項に記載のパンツ型吸収性物品。
【請求項５】
前記パンツ型吸収性物品の伸長状態において、前記サイドシール部の下方に、前記延出部接合部が物品縦方向に間欠的に複数配されている請求項１〜４の何れか１項に記載のパンツ型吸収性物品。
【請求項６】
前記パンツ型吸収性物品の伸長状態において、前記延出部接合部の面積は、前記本体部接合部の面積よりも小さい請求項１〜５の何れか１項に記載のパンツ型吸収性物品。
【請求項７】
前記パンツ型吸収性物品の伸長状態において、前記胴回り領域の前記１つの接合部列に着目して、該１つの接合部列の上方に位置し、前記物品縦方向に間欠的に配された１つの接合部列を構成する前記本体部接合部の内の少なくとも１個は、その物品横方向中心が、前記胴回り領域の１つの接合部列を構成する前記本体部接合部の物品横方向中心から物品横方向にずれている請求項１〜６の何れか１項に記載のパンツ型吸収性物品。
【請求項８】
前記パンツ型吸収性物品の伸長状態において、前記胴回り領域の前記１つの接合部列に着目して、該１つの接合部列の上方に位置し、前記物品縦方向に間欠的に配された前記腸骨領域の１つの接合部列を構成する前記本体部接合部の内の少なくとも１個は、その物品横方向中心が、前記胴回り領域の１つの接合部列を構成する前記本体部接合部の物品横方向中心から物品横方向にずれている請求項１〜７の何れか１項に記載のパンツ型吸収性物品。
【発明の詳細な説明】
【技術分野】
【０００１】
本発明は、パンツ型使い捨ておむつ等のパンツ型吸収性物品に関する。
【背景技術】
【０００２】
使い捨ておむつには、吸収体を備えた縦長の吸収性本体の外側に外装体が配されている。本出願人は、先に、外装体が、おむつの外面をなす外側シートと、該外側シートの内面に配された内側シートと、該外側シートと該内側シートとの間に横方向に伸長状態で配された複数本の糸状の弾性部材とを備えており、外装体が、外側シート及び内側シートを複数の接合部により互いに接合し、接合部を通らないように弾性部材を配することによって、複数本の弾性部材に亘って縦方向に連続して延びる複数本の襞を有しているパンツ型使い捨ておむつを提案した（例えば、特許文献１〜特許文献２）。
【０００３】
特許文献１に記載のパンツ型使い捨ておむつは、外側シート及び内側シートを接合する接合部を、弾性部材の伸縮方向及びそれに直交する縦方向にそれぞれ列をなすように配置したり、千鳥状の配列に配置したりして、複数本の襞を形成している。その為、特許文献１に記載のパンツ型使い捨ておむつは、外装体の厚み方向のクッション性に優れ、着用時の蒸れが低減し易くなっている。
【０００４】
特許文献２に記載のパンツ型使い捨ておむつは、腹側外装体と背側外装体の両側部が接合されて形成された一対のサイドシール部を有し、背側外装体の下部域に、サイドシール部より下方に延出する背側延出部を設けている。その為、着用状態における着用者の臀部の隠蔽性が向上しおむつの外観が向上すると共に、外装体の複数本の縦方向に延びる襞により着用時の蒸れが低減し装着感が向上する。
【先行技術文献】
【特許文献】
【０００５】
【特許文献１】特開２００８−１３１９６８号公報
【特許文献２】特開２０１１−０１０８３９号公報
【発明の概要】
【発明が解決しようとする課題】
【０００６】
特許文献２に記載のパンツ型使い捨ておむつのように、背側外装体の下部域に、着用者の臀部を覆う背側延出部を設けると、複数本の襞が、パンツ型使い捨ておむつのウエスト開口部側から背側延出部の下端に向かって縦方向に連続して延びる場合が考えられる。このようなウエスト開口部側から背側延出部の下端に向かって連続して縦方向に延びる襞が、万一形成されれば、背側延出部で着用者の臀部を柔らかく覆うことができ難くなってしまうことが想定される。ここで、特許文献２には、連続して縦方向に延びる襞を形成しないように考慮した、背側延出部における接合部の配置に関して何ら記載されていない。このように、特許文献２に記載のパンツ型使い捨ておむつには、更なる改良の余地があった。
【０００７】
また、特許文献１には、背側外装体の下部域に、サイドシール部より下方に延出する背側延出部を設けることに関して、何ら記載されておらず、背側延出部における外側シート及び内側シートを接合する接合部の配置に関しても、何ら記載されていない。
【０００８】
したがって本発明は、前述した従来技術が有する欠点を解消し得るパンツ型吸収性物品を提供することにある。
【課題を解決するための手段】
【０００９】
本発明は、  着用者の腹側に配される腹側シート部材と、着用者の背側に配される背側シート部材と、該腹側シート部材及び該背側シート部材に架け渡して固定された吸収性本体とを具備し、該腹側シート部材と該背側シート部材の両側縁部に、該腹側シート部材と該背側シート部材とが接合されて形成された一対のサイドシール部を有するパンツ型吸収性物品であって、前記背側シート部材は、物品縦方向の長さが前記サイドシール部の長さより長く、一対の前記サイドシール部間に位置する背側本体部と、該背側本体部及び該サイドシール部より下方に延出する背側延出部とを有し、前記背側本体部は、着用者の腸骨稜から上前腸骨棘にかけての部位に当接する腸骨領域と、該腸骨領域の上方に位置するウエスト領域と、該腸骨領域の下方に位置する胴回り領域とを有し、前記腹側シート部材及び前記背側シート部材は、前記パンツ型吸収性物品の外面をなす外側シートと、該外側シートの内面に配された内側シートと、該外側シートと該内側シートとの間に物品横方向に伸長状態で配された複数本の糸状の弾性部材とを備え、前記背側シート部材の前記背側本体部では、前記外側シート及び前記内側シートが、物品縦方向に隣り合う前記弾性部材どうしの間に配された本体部接合部で互いに接合され、前記背側シート部材の前記背側延出部では、前記外側シート及び前記内側シートが、物品縦方向に隣り合う前記弾性部材どうしの間に配された延出部接合部で互いに接合されており、前記パンツ型吸収性物品の伸長状態において、少なくとも前記胴回り領域では、前記本体部接合部が物品縦方向に平行に間欠的に配された接合部列が、物品横方向に間欠的に配されており、１つの該接合部列に着目して、１つの該接合部列の下方に位置する物品縦方向に間欠的に配された複数の前記延出部接合部の内の少なくとも１個は、その物品横方向中心が、該１つの接合部列を構成する前記本体部接合部の物品横方向中心から物品横方向にずれているパンツ型吸収性物品を提供するものである。
【発明の効果】
【００１０】
本発明によれば、厚み方向のクッション性及び着用時の蒸れ低減性に優れると共に、背側延出部で着用者の臀部を柔らかく覆うことができる。
【図面の簡単な説明】
【００１１】
【図１】図１は、本発明の一実施形態であるパンツ型使い捨ておむつの斜視図である。
【図２】図２は、図１に示すおむつを展開して引き伸ばした状態を肌当接面側から視た展開平面図である。
【図３】図３は、図２に示すＩＩＩ―ＩＩＩ線断面図である。
【図４】図４は、図２に示すＩＶ―ＩＶ線断面図である。
【図５】図５は、図１に示すおむつの伸長させた状態における背側シート部材の要部を拡大した要部拡大平面図である。
【図６】図６は、図５に示す背側シート部材が収縮した状態を示す斜視図である。
【図７】図７は、図１に示すおむつを着用者が着用した状態を横から視た図である。
【図８】図８は、別の実施形態のおむつの伸長させた状態における背側シート部材の要部を拡大した要部拡大平面図である（図５相当図）。
【図９】図９は、また別の実施形態のおむつの伸長させた状態における背側シート部材の要部を拡大した要部拡大平面図である（図５相当図）。
【図１０】図１０は、また別の実施形態のおむつの伸長させた状態における背側シート部材の要部を拡大した要部拡大平面図である（図５相当図）。
【図１１】図１１は、また別の実施形態のおむつの伸長させた状態における背側シート部材の要部を拡大した要部拡大平面図である。
【図１２】図１２は、さらに別の実施形態のおむつの伸長させた状態における背側シート部材の要部を拡大した要部拡大平面図である。
【発明を実施するための形態】
【００１２】
以下、本発明をその好ましい実施形態に基づき図面を参照しながら説明する。
本発明のパンツ型吸収性物品の一実施形態であるパンツ型使い捨ておむつ１（以下、おむつ１ともいう）は、図１及び図２に示すとおり、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備する。おむつ１は、腹側シート部材２Ａの両側縁部２ａ１，２ａ１と背側シート部材２Ｂの両側縁部２ｂ１，２ｂ１に、腹側シート部材２Ａと背側シート部材２Ｂとが接合されて形成された一対のサイドシール部Ｓ，Ｓを有している。おむつ１では、矩形状の腹側シート部材２Ａの左右両側縁部２ａ１，２ａ１と矩形状の背側シート部材２Ｂの左右両側縁部２ｂ１，２ｂ１とが接合されて一対のサイドシール部Ｓ，Ｓ、ウエスト開口部ＷＯ及び一対のレッグ開口部ＬＯ，ＬＯが形成されている。
【００１３】
おむつ１は、図２に示す、展開させかつ伸長させた状態を平面視して、着用時に着用者の腹側に配される腹側領域Ａ、着用時に着用者の背側に配される背側領域Ｂ、及び腹側領域Ａと背側領域Ｂとの間の股下領域Ｃに区分されている。ここで、上述したおむつ１を展開させかつ伸長させた状態とは、図２に示すように、サイドシール部Ｓを引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を意味する。また、本明細書において、おむつ１を伸長させた状態とは、おむつ１の備える各部の弾性部材を伸長させて、設計寸法（弾性部材の影響を一切排除した状態で平面状に広げたときの寸法と同じ）となるまで広げた状態を意味する。
【００１４】
また、本明細書において、「肌対向面」とは、おむつ１又はその構成部材（例えば吸収性本体３）における、着用時に着用者の肌側に向けられる面であり、「非肌対向面」とは、おむつ１又はその構成部材における、着用時に着用者の肌側とは反対側（着衣側）に向けられる面である。
また、おむつ１において、物品縦方向（Ｘ方向）とは、平面に展開させかつ伸長させた状態で、腹側領域Ａから背側領域Ｂにわたる方向のことである。また、物品横方向（Ｙ方向）とは、物品縦方向（Ｘ方向）と直交する方向であり、平面に展開させかつ伸長させた状態のおむつ１の幅方向のことである。
尚、本明細書において、「下方」とは、おむつ１における物品縦方向（Ｘ方向）の比較対象部位よりも股下領域Ｃ側を意味する。また、「上方」とは、おむつ１における物品縦方向（Ｘ方向）の比較対象部位よりもウエスト開口部ＷＯ側を意味する。
【００１５】
おむつ１では、吸収性本体３は、図２及び図３に示すとおり、液透過性の表面シート３１、液不透過性又は撥水性の裏面シート３２、及び両シート３１、３２間に介在配置された液保持性の吸収体３３を有しており、物品縦方向（Ｘ方向）に長い長方形状に形成されている。吸収体３３は、パルプ繊維等の繊維の集合体（不織布であってもよい）からなる吸収性コア３３１又はこれに吸水性ポリマーの粒子を保持させてなる吸収性コア３３１と、該吸収性コア３３１を被覆するコアラップシート３３２からなる。吸収体３３も、物品縦方向（Ｘ方向）に長い長方形状に形成されている。
【００１６】
おむつ１では、図２及び図３に示すように、吸収性本体３の物品縦方向（Ｘ方向）の両側部には、液抵抗性ないし撥水性で且つ通気性の素材から構成された防漏カフ３４，３４が形成されている。防漏カフ３４は物品縦方向（Ｘ方向）に延びている。各防漏カフ３４の自由端の近傍には、防漏カフ弾性部材３５が伸長状態で配されている。おむつ１の着用中には、防漏カフ弾性部材３５が収縮することにより防漏カフ３４が起立し、吸収性本体３から物品横方向（Ｙ方向）外方への液の流出が阻止される。また、股下領域Ｃにおける吸収性本体３の非肌対向面側には、図３に示すように、裏面シート３２に重ねて、不織布やフィルム等の外装シート３６を配することもできる。
【００１７】
また、おむつ１では、吸収性本体３は、防漏カフ３４よりも物品横方向（Ｙ方向）の外方の位置であって且つその物品縦方向（Ｘ方向）の両側縁それぞれの外方の位置に、物品縦方向（Ｘ方向）に延びるレッグカフ３７,３７を有している。レッグカフ３７の自由端には、物品縦方向（Ｘ方向）に延びるレッグカフ弾性部材３８，３８が伸長状態で取り付けられている。レッグカフ３７は、おむつ１の着用状態において、着用者の脚周りにフィットするようになっている。
【００１８】
おむつ１では、吸収性本体３は、物品縦方向（Ｘ方向）の一端側（背側シート部材２Ｂと重なっている部分）が、図４に示すとおり、背側シート部材２Ｂの肌対向面における物品横方向（Ｙ方向）の中央領域に接着剤３９を介して固定されている。また、図示していないが、吸収性本体３は、物品縦方向（Ｘ方向）の他端側（腹側シート部材２Ａと重なっている部分）が、物品縦方向（Ｘ方向）の一端側（背側シート部材２Ｂと重なっている部分）と同様に、腹側シート部材２Ａの肌対向面における物品横方向（Ｙ方向）の中央領域に接着剤を介して固定されている。
【００１９】
おむつ１では、腹側シート部材２Ａは、図２に示す、おむつ１の展開且つ伸長状態において、物品横方向（Ｙ方向）に沿って長い横長の長方形状をなしている。背側シート部材２Ｂも、同様に、おむつ１の展開且つ伸長状態において、横長の長方形状をなしている。おむつ１の腹側シート部材２Ａと背側シート部材２Ｂは、図２に示すとおり、物品横方向（Ｙ方向）の長さが均一である。そして、おむつ１では、背側シート部材２Ｂの物品縦方向（Ｘ方向）の長さが、腹側シート部材２Ａの物品縦方向（Ｘ方向）の長さよりも長く形成されている。
【００２０】
おむつ１では、図１に示すように、腹側シート部材２Ａの側縁部２ａ１と、背側シート部材２Ｂの側縁部２ｂ１とが上述した一対のサイドシール部Ｓ，Ｓにおいて接合されて、筒状の胴回り部が形成されている。この接合には、例えばヒートシール、高周波シール、超音波シール、接着剤等の公知の接合手段が用いられる。また、この接合によって、サイドシール部Ｓ，Ｓとともに、ウエスト開口部ＷＯ及び一対のレッグ開口部ＬＯ，ＬＯが形成される。
【００２１】
上述したように、おむつ１では、図２に示すように、背側シート部材２Ｂは物品縦方向（Ｘ方向）の長さが、腹側シート部材２Ａの物品縦方向（Ｘ方向）の長さよりも大きくなっている。背側シート部材２Ｂは、物品縦方向（Ｘ方向）の長さＬｂがサイドシール部Ｓの長さより長く、一対のサイドシール部Ｓ，Ｓ間に位置する背側本体部２０ｂと、背側本体部２０ｂ及びサイドシール部Ｓより下方に延出する背側延出部２１ｂとを有している。好適に、おむつ１では、サイドシール部Ｓは、物品縦方向（Ｘ方向）の長さが、腹側シート部材２Ａの長さＬａと同じになっている。背側シート部材２Ｂの長さＬｂとの関係では、サイドシール部Ｓは、背側シート部材２Ｂの長さＬｂよりも短く形成されている。その結果、背側シート部材２Ｂには、物品横方向（Ｙ方向）の両側にサイドシール部Ｓ，Ｓを有する背側本体部２０ｂと、該背側本体部２０ｂから股下領域Ｃ側に延出し、物品横方向（Ｙ方向）の両側にサイドシール部Ｓ，Ｓを有しない背側延出部２１ｂとが形成されている。背側延出部２１ｂのうち、吸収性本体３よりも物品横方向（Ｙ方向）の外方に位置する部位は、おむつ１の着用状態（図７参照）において、着用者の臀部を被覆する臀部カバー部となる。
【００２２】
また、おむつ１では、図２に示すように、背側本体部２０ｂは、着用者の腸骨稜から上前腸骨棘にかけての部位に当接する腸骨領域Ｂ２と、該腸骨領域Ｂ２の上方に位置するウエスト領域Ｂ１と、該腸骨領域Ｂ２の下方に位置する胴回り領域Ｂ３とを有している。ここで、腸骨稜及び上前腸骨棘は、解剖学の用語である。ウエスト領域Ｂ１は、上述したウエスト開口部ＷＯを含む領域であり、胴回り領域Ｂ３は、背側延出部２１ｂに隣接する領域である。好適に、おむつ１では、ウエスト領域Ｂ１、腸骨領域Ｂ２及び胴回り領域Ｂ３とは、背側本体部２０ｂを物品縦方向（Ｘ方向）に三等分して、上方から下方に向かって、３分の１ずつの割合で配された領域を意味する。
【００２３】
おむつ１では、腹側シート部材２Ａ及び背側シート部材２Ｂは、それぞれ、図２及び図４に示すように、おむつの外面をなす外側シート２２と、外側シート２２の内面側に配された内側シート２３と、両シート２２，２３間に物品横方向（Ｙ方向）に伸長状態で配された複数本の糸状の弾性部材２４とを備えている。弾性部材２４は、物品横方向（Ｙ方向）に沿って延びている。それによって、腹側シート部材２Ａ及び背側シート部材２Ｂは、物品横方向（Ｙ方向）に沿って伸縮性を発現している。腹側シート部材２Ａと背側シート部材２Ｂとは、おむつ１を展開させかつ伸長させた状態において、物品横方向（Ｙ方向）に沿った長さが等しくなっている。
【００２４】
おむつ１では、腹側シート部材２Ａに配されている弾性部材２４と、背側シート部材２Ｂに配されている弾性部材２４は同種のものである。同種の弾性部材とは、その太さ及び材質などの物理的及び化学的特性がすべて同じであることをいう。また、腹側シート部材２Ａに配されている弾性部材２４と、背側シート部材２Ｂに配されている弾性部材２４は、同じ伸長倍率で配されている。
【００２５】
具体的には、おむつ１では、腹側シート部材２Ａは、図２に示すように、外側シート２２及び内側シート２３が、物品縦方向（Ｘ方向）に隣り合う弾性部材２４，２４どうしの間に配された接合部２５で互いに接合されている。好適に、おむつ１の腹側シート部材２Ａでは、外側シート２２と内側シート２３とが、複数の接合部２５において接合されている。そして弾性部材２４が、該接合部２５を通らないように配されている。また弾性部材２４は、物品横方向（Ｙ方向）の両端部間の領域において外側シート２２及び内側シート２３のいずれにも非接合状態で配されている。言い換えれば、弾性部材２４は、物品横方向（Ｙ方向）の両端部においてのみ外側シート２２及び内側シート２３と固定されている。更に好適に、おむつ１では、おむつ１の伸長状態において、後述するウエスト伸縮部Ｇ１から胴回り下部伸縮部Ｇ２に亘る領域に、接合部２５が物品縦方向（Ｘ方向）に平行に間欠的に配された接合部列２５Ｌが、物品横方向（Ｙ方向）に間欠的に配されている。そして、物品縦方向（Ｘ方向）に隣り合う一対の接合部２５、２５どうしの間に弾性部材２４が位置している。このように、腹側シート部材２Ａでは、複数の弾性部材２４を備えることにより、ウエスト伸縮部Ｇ１及び胴回り下部伸縮部Ｇ２を形成している。
【００２６】
おむつ１の腹側シート部材２Ａでは、ウエスト伸縮部Ｇ１は、図２に示すように、物品縦方向（Ｘ方向）において、吸収性本体３を構成する吸収体３３の縦方向（Ｘ方向）の腹側領域Ａ側の端部３３Ａの端縁よりも物品縦方向Ｘの外方に位置するエンドフラップに形成されている。言い換えると、ウエスト伸縮部Ｇ１は、前述したウエスト領域Ｂ１内に形成されている。また、おむつ１の腹側シート部材２Ａでは、胴回り下部伸縮部Ｇ２は、物品縦方向（Ｘ方向）において、ウエスト伸縮部Ｇ１の股下領域Ｃ側の下端とサイドシール部Ｓの下端との間に位置するサイドフラップに形成されており、前述した腸骨領域Ｂ２及び胴回り領域Ｂ３を含んでいる。
【００２７】
また、おむつ１の腹側シート部材２Ａでは、図２に示すように、両側縁部２ａ１，２ａ１に、外側シート２２と内側シート２３とが弾性部材固定用接着剤を介して接合された一対の外側固定領域２Ｔ１，２Ｔ１を有しており、また、吸収性本体３の物品縦方向（Ｘ方向）に沿う両側部の近傍に、外側シート２２と内側シート２３とが弾性部材固定用接着剤を介して接合された一対の本体側固定領域２Ｔ２，２Ｔ２を有している。
【００２８】
おむつ１では、図２に示すように、腹側シート部材２Ａのウエスト伸縮部Ｇ１において、複数本の弾性部材２４が、一対の外側固定領域２Ｔ１，２Ｔ１間に亘って配されており、それらの弾性部材２４は、一対の外側固定領域２Ｔ１，２Ｔ１それぞれにおいて、外側シート２２と内側シート２３との間に固定されている一方、一対の外側固定領域２Ｔ１，２Ｔ１間においては、外側シート２２と内側シート２３との何れにも固定されていない。
また、腹側シート部材２Ａの胴回り下部伸縮部Ｇ２では、複数本の弾性部材２４が、外側固定領域２Ｔ１と本体側固定領域２Ｔ２との間に亘って配されており、それらの弾性部材２４は、外側固定領域２Ｔ１と本体側固定領域２Ｔ２とのそれぞれにおいて、外側シート２２と内側シート２３との間に固定されている一方、外側固定領域２Ｔ１と本体側固定領域２Ｔ２との間においては、外側シート２２と内側シート２３との何れにも固定されていない。腹側シート部材２Ａの胴回り下部伸縮部Ｇ２では、一対の本体側固定領域２Ｔ２，２Ｔ２の間の吸収体３３と重なる位置においては、弾性部材２４が配されていないか、又は配置されているとしても、伸縮弾性が弱くなるような態様で配置されている。
【００２９】
おむつ１の腹側シート部材２Ａでは、ウエスト伸縮部Ｇ１及び胴回り下部伸縮部Ｇ２において、外側シート２２と内側シート２３との間に物品横方向（Ｙ方向）に伸長状態で配された弾性部材２４が収縮することにより、物品横方向（Ｙ方向）に隣接する接合部列２５Ｌ，２５Ｌどうしの間の外側シート２２が非肌対向面側の外方に膨らむように変形し、且つ、内側シート２３が肌対向面側の外方に膨らむように変形する（図６参照）。そして、隣接する接合部列２５Ｌ，２５Ｌどうしの間に、外側シート２２及び内側シート２３からなる襞２Ｆが生じると共に、外側シート２２と内側シート２３との間には、襞２Ｆと襞２Ｆとに周囲を囲まれた中空部２Ｈが形成される。
【００３０】
次に、おむつ１では、背側シート部材２Ｂの背側本体部２０ｂにおいて、図２及び図５に示すように、外側シート２２及び内側シート２３が、物品縦方向（Ｘ方向）に隣り合う弾性部材２４，２４どうしの間に配された本体部接合部２６で互いに接合されている。好適に、外側シート２２及び内側シート２３は、２個の本体部接合部２６を１セットにして互いに接合されている。更に好適に、おむつ１の背側本体部２０ｂでは、外側シート２２と内側シート２３とが、本体部接合部２６の複数セットにおいて接合されている。そして弾性部材２４が、該本体部接合部２６を通らないように配されている。また弾性部材２４は、物品横方向（Ｙ方向）の両端部間の領域において外側シート２２及び内側シート２３のいずれにも非接合状態で配されている。言い換えれば、弾性部材２４は、物品横方向（Ｙ方向）の両端部においてのみ外側シート２２及び内側シート２３と固定されている。
【００３１】
また、おむつ１の伸長状態において、背側シート部材２Ｂの少なくとも胴回り領域Ｂ３では、本体部接合部２６が物品縦方向（Ｘ方向）に平行に間欠的に配された接合部列２６Ｌが、物品横方向（Ｙ方向）に間欠的に配されている。本実施形態のおむつ１では、図５に示すおむつ１の伸長状態において、背側シート部材２Ｂの本体部接合部２６が物品縦方向（Ｘ方向）に平行に間欠的に配された接合部列２６Ｌが、物品横方向（Ｙ方向）に間欠的に配されている。好適に、おむつ１の背側本体部２０ｂでは、おむつ１の伸長状態において、ウエスト伸縮部Ｇ１から胴回り下部伸縮部Ｇ２に亘る領域に、本体部接合部２６が間欠的に物品縦方向（Ｘ方向）に一直線状に並んで配されてなる接合部列２６Ｌが、おむつ１の物品横方向（Ｙ方向）に複数列形成されている。言い換えると、おむつ１の背側本体部２０ｂでは、おむつ１の伸長状態において、ウエスト領域Ｂ１から胴回り領域Ｂ３に亘って、本体部接合部２６が間欠的に物品縦方向（Ｘ方向）に一直線状に並んで配されてなる接合部列２６Ｌが、おむつ１の物品横方向（Ｙ方向）に複数列形成されている。そして、それらの接合部列２６Ｌにおける各本体部接合部２６の物品縦方向（Ｘ方向）の配置位置が一致している。そして、物品縦方向（Ｘ方向）に隣り合う一対の本体部接合部２６、２６どうしの間には弾性部材２４が位置している。
【００３２】
おむつ１の背側シート部材２Ｂにおける背側本体部２０ｂでは、腹側シート部材２Ａと同様に、ウエスト伸縮部Ｇ１は、図２に示すように、物品縦方向（Ｘ方向）において、吸収性本体３を構成する吸収体３３の縦方向（Ｘ方向）の背側領域Ｂ側の端部３３Ｂの端縁よりも物品縦方向Ｘの外方に位置するエンドフラップに形成されており、ウエスト領域Ｂ１に形成されている。また、おむつ１の背側シート部材２Ｂにおける背側本体部２０ｂでは、腹側シート部材２Ａと同様に、胴回り下部伸縮部Ｇ２は、物品縦方向（Ｘ方向）において、ウエスト伸縮部Ｇ１の股下領域Ｃ側の下端とサイドシール部Ｓの下端との間に位置するサイドフラップに形成されており、腸骨領域Ｂ２及び胴回り領域Ｂ３を含んでいる。
【００３３】
また、おむつ１の背側シート部材２Ｂにおける背側本体部２０ｂでは、腹側シート部材２Ａと同様に、図２に示すように、両側縁部２ｂ１，２ｂ１に、外側シート２２と内側シート２３とが弾性部材固定用接着剤を介して接合された一対の外側固定領域２Ｔ１，２Ｔ１を有しており、また、吸収性本体３の物品縦方向（Ｘ方向）に沿う両側部の近傍に、外側シート２２と内側シート２３とが弾性部材固定用接着剤を介して接合された一対の本体側固定領域２Ｔ２，２Ｔ２を有している。
【００３４】
おむつ１では、腹側シート部材２Ａと同様に、背側シート部材２Ｂにおける背側本体部２０ｂのウエスト伸縮部Ｇ１において、複数本の弾性部材２４が、一対の外側固定領域２Ｔ１，２Ｔ１間に亘って配されており、それらの弾性部材２４は、一対の外側固定領域２Ｔ１，２Ｔ１それぞれにおいて、外側シート２２と内側シート２３との間に固定されている一方、一対の外側固定領域２Ｔ１，２Ｔ１間においては、外側シート２２と内側シート２３との何れにも固定されていない。
また、背側シート部材２Ｂにおける背側本体部２０ｂの胴回り下部伸縮部Ｇ２では、複数本の弾性部材２４が、外側固定領域２Ｔ１と本体側固定領域２Ｔ２との間に亘って配されており、それらの弾性部材２４は、外側固定領域２Ｔ１と本体側固定領域２Ｔ２とのそれぞれにおいて、外側シート２２と内側シート２３との間に固定されている一方、外側固定領域２Ｔ１と本体側固定領域２Ｔ２との間においては、外側シート２２と内側シート２３との何れにも固定されていない。背側シート部材２Ｂにおける背側本体部２０ｂの胴回り下部伸縮部Ｇ２では、一対の本体側固定領域２Ｔ２，２Ｔ２の間の吸収体３３と重なる位置においては、弾性部材２４が配されていないか、又は配置されているとしても、伸縮弾性が弱くなるような態様で配置されている。
【００３５】
おむつ１の背側シート部材２Ｂにおける背側本体部２０ｂでは、腹側シート部材２Ａと同様に、ウエスト伸縮部Ｇ１及び胴回り下部伸縮部Ｇ２において、図６に示すように、外側シート２２と内側シート２３との間に物品横方向（Ｙ方向）に伸長状態で配された弾性部材２４が収縮することにより、物品横方向（Ｙ方向）に隣接する接合部列２６Ｌ，２６Ｌどうしの間の外側シート２２が非肌対向面側の外方に膨らむように変形し、且つ、内側シート２３が肌対向面側の外方に膨らむように変形する。そして、隣接する接合部列２６Ｌ，２６Ｌどうしの間に、外側シート２２及び内側シート２３からなる襞２Ｆが生じると共に、外側シート２２と内側シート２３との間には、襞２Ｆと襞２Ｆとに周囲を囲まれた中空部２Ｈが形成される。言い換えると、おむつ１の背側シート部材２Ｂにおける背側本体部２０ｂでは、腹側シート部材２Ａと同様に、ウエスト領域Ｂ１、腸骨領域Ｂ２及び胴回り領域Ｂ３において、図６に示すように、外側シート２２と内側シート２３との間に物品横方向（Ｙ方向）に伸長状態で配された弾性部材２４が収縮することにより、物品横方向（Ｙ方向）に隣接する接合部列２６Ｌ，２６Ｌどうしの間の外側シート２２が非肌対向面側の外方に膨らむように変形し、且つ、内側シート２３が肌対向面側の外方に膨らむように変形する。そして、隣接する接合部列２６Ｌ，２６Ｌどうしの間に、外側シート２２及び内側シート２３からなる襞２Ｆが生じると共に、外側シート２２と内側シート２３との間には、襞２Ｆと襞２Ｆとに周囲を囲まれた中空部２Ｈが形成される。
【００３６】
また、おむつ１では、図５に示すおむつ１の伸長状態において、背側シート部材２Ｂの背側延出部２１ｂでは、外側シート２２及び内側シート２３が、物品縦方向（Ｘ方向）に隣り合う弾性部材２４，２４どうしの間に配された延出部接合部２７で互いに接合されている。好適に、外側シート２２及び内側シート２３は、弾性部材２４，２４どうしの間に配された２個の延出部接合部２７を１セットにして互いに接合されている。更に好適に、おむつ１の背側延出部２１ｂでは、外側シート２２と内側シート２３とが、延出部接合部２７の複数セットにおいて接合されている。そして弾性部材２４が、延出部接合部２７を通らないように配されている。また弾性部材２４は、物品横方向（Ｙ方向）の両端部間の領域において外側シート２２及び内側シート２３のいずれにも非接合状態で配されている。言い換えれば、弾性部材２４は、物品横方向（Ｙ方向）の両端部においてのみ外側シート２２及び内側シート２３と固定されている。
【００３７】
更に好適に、おむつ１では、図５に示すおむつ１の伸長状態において、背側シート部材２Ｂの背側延出部２１ｂでは、背側本体部２０ｂの胴回り下部伸縮部Ｇ２（腸骨領域Ｂ２及び胴回り領域Ｂ３を含む領域）と同様に、複数本の弾性部材２４が、外側固定領域２Ｔ１と本体側固定領域２Ｔ２との間に亘って配されており、それらの弾性部材２４は、外側固定領域２Ｔ１と本体側固定領域２Ｔ２とのそれぞれにおいて、外側シート２２と内側シート２３との間に固定されている一方、外側固定領域２Ｔ１と本体側固定領域２Ｔ２との間においては、外側シート２２と内側シート２３との何れにも固定されていない。背側シート部材２Ｂの背側延出部２１ｂでは、一対の本体側固定領域２Ｔ２，２Ｔ２の間の吸収体３３と重なる位置においては、弾性部材２４が配されていないか、又は配置されているとしても、伸縮弾性が弱くなるような態様で配置されている。例えば図４に示すとおり、弾性部材２４は、吸収体３３と重なる位置において細かく分断された分断体２４ａの状態で存在しており、それによって伸縮弾性が弱くなっている。
【００３８】
おむつ１の背側シート部材２Ｂは、図５に示すおむつ１の伸長状態において、少なくとも胴回り領域Ｂ３では、本体部接合部２６によって形成された１つの接合部列２６Ｌ（例えば図５中の接合部列２６Ｌ１）に着目して、該１つの接合部列２６Ｌ１の下方に位置する物品縦方向（Ｘ方向）に間欠的に配された複数の延出部接合部２７の内の少なくとも１個は、その物品横方向（Ｙ方向）中心が、該１つの接合部列２６Ｌを構成する本体部接合部２６の物品横方向（Ｙ方向）中心から物品横方向（Ｙ方向）にずれている。本実施形態のおむつ１の背側シート部材２Ｂでは、図５に示すおむつ１の伸長状態において、ウエスト領域Ｂ１から胴回り領域Ｂ３に亘って本体部接合部２６によって形成された１つの接合部列２６Ｌ（例えば図５中の接合部列２６Ｌ１）に着目して、該１つの接合部列２６Ｌ１の下方に位置する物品縦方向（Ｘ方向）に間欠的に配された複数の延出部接合部２７の内の少なくとも１個は、その物品横方向（Ｙ方向）中心が、該１つの接合部列２６Ｌを構成する本体部接合部２６の物品横方向（Ｙ方向）中心から物品横方向（Ｙ方向）にずれている。ここで、「ずれている」とは、本体部接合部２６の物品横方向（Ｙ方向）中心２６Ｇを基準として、比較対象となるもの、例えば、延出部接合部２７の物品横方向（Ｙ方向）中心２７Ｇが物品横方向（Ｙ方向）に、はずれていることをいう。
【００３９】
好適に、図５に示すおむつ１の伸長状態においては、図５中の接合部列２６Ｌ１に着目して、該接合部列２６Ｌ１の直下に位置する延出部接合部２７の１セットを構成する各延出部接合部２７は、その物品横方向（Ｙ方向）中心２７Ｇが、該接合部列２６Ｌ１を構成する本体部接合部２６の物品横方向（Ｙ方向）中心２６Ｇと、物品横方向（Ｙ方向）では一致している。しかし、前記１つの接合部列２６Ｌ１の下方に位置する、前記直下に位置する延出部接合部２７の１セット以外の複数の延出部接合部２７（例えば図５中の延出部接合部２７１）は、その物品横方向（Ｙ方向）中心２７１Ｇが、該接合部列２６Ｌを構成する本体部接合部２６の物品横方向（Ｙ方向）中心２６Ｇと、物品横方向（Ｙ方向）でずれている。
【００４０】
また、おむつ１では、図５に示すおむつ１の伸長状態において、前記１つの接合部列２６Ｌ１と物品横方向（Ｙ方向）に隣り合う別の接合部列２６Ｌとの間隔２６ｄを二等分する物品縦方向（Ｘ方向）に延びる本体部二等分線２６ｈＬと、物品横方向（Ｙ方向）にずれている物品横方向（Ｙ方向）中心２７１Ｇを有する延出部接合部２７１と前記別の接合部列２６Ｌの下方に位置し且つ物品横方向（Ｙ方向）に隣り合う別の延出部接合部２７との間隔２７ｄを二等分する物品縦方向（Ｘ方向）に延びる延出部二等分線２７ｈＬとは、物品横方向（Ｙ方向）にずれている。
【００４１】
おむつ１では、図５に示すおむつ１の伸長状態において、前記１つの接合部列２６Ｌ１と物品横方向（Ｙ方向）に隣り合う別の接合部列２６Ｌとの間隔２６ｄと、物品横方向（Ｙ方向）にずれている物品横方向（Ｙ方向）中心２７１Ｇを有する延出部接合部２７１と物品横方向（Ｙ方向）に隣り合う別の延出部接合部２７との間隔２７ｄとは、等しい間隔となっている。そして、おむつ１では、物品横方向（Ｙ方向）に関して、前記１つの接合部列２６Ｌ１と物品横方向（Ｙ方向）に隣り合う別の接合部列２６Ｌとの間隔２６ｄを二等分する位置に、物品横方向（Ｙ方向）にずれている延出部接合部２７１に隣り合う別の延出部接合部２７の物品横方向（Ｙ方向）中心が配されている。好適に図５に示す伸長状態のおむつ１においては、背側シート部材２Ｂでは、背側本体部２０ｂの本体部接合部２６の接合部列２６Ｌ及び背側延出部２１ｂにおける前記直下に位置する延出部接合部２７の１セットを構成する各延出部接合部２７が、物品横方向（Ｙ方向）に間隔２６ｄを空けて間欠的に配されている。そして、背側延出部２１ｂにおいては、前記直下に位置する延出部接合部２７の１セット以外の複数の延出部接合部２７が、物品横方向（Ｙ方向）に間隔２６ｄと等しい間隔２７ｄを空けて間欠的に配されている。
【００４２】
接合部２５、本体部接合部２６及び延出部接合部２７の形状としては、物品縦方向（Ｘ方向）に隣り合う弾性部材２４，２４どうしの間に配される形状であれば、特に限定されるものではなく、三角形状、菱形形状、正方形状、長方形状等の多角形状、円形状、楕円形状、長円形状等が挙げられ、図５に示すように、複数個の形状に分かれていてもよい。好適に、おむつ１では、各本体部接合部２６及び各延出部接合部２７は、物品縦方向（Ｘ方向）に間隔を空けて配された２個の矩形状の接合部分から形成されている。このことにより、より曲がりやすくなるため、着用者の臀部を柔らかく覆いやすくなる。
【００４３】
接合部２５、本体部接合部２６及び延出部接合部２７は、外側シート２２と内側シート２３とを重ね合わせ、重ね合わせた部分に、熱エンボス加工を施すことにより、溶融固化して形成されている。熱エンボス装置としては、エンボスロールとアンビルロールとを備え、そのエンボスロールの外周面に、接合部２５、本体部接合部２６又は延出部接合部２７に対応する形状の凸部を有するものを用いることができる。接合部２５、本体部接合部２６及び延出部接合部２７を形成する加工として、熱エンボス加工に代えて、超音波シール、レーザー等を採用することもできる。
【００４４】
上述したおむつ１の各部の形成材料について説明する。
腹側シート部材２Ａ及び背側シート部材２Ｂを形成する外側シート２２及び内側シート２３としては、この種の吸収性物品に従来用いられているものと同様のものを用いることができ、好適には同一の又は異なる通気性シート、例えば各種の方法で製造された不織布を用いることができる。外側シート２２及び内側シート２３としては、例えば、スパンボンド不織布が好ましく用いられる。
【００４５】
吸収性本体３を構成する表面シート３１、裏面シート３２、吸収体３３、防漏カフ３４及びレッグカフ３７等としては、使い捨ておむつ等の吸収性物品に従来用いられている各種のもの等を特に制限なく用いることができる。例えば、表面シート３１としては、単層又は多層構造の不織布や、開孔フィルム等を用いることができる。裏面シート３２としては、透湿性の樹脂フィルム等を用いることができる。吸収体３３としては、吸収性ポリマーの粒子及び繊維材料から構成された吸収コア３３１をティッシュペーパー等からなるコアラップシート３３２によって被覆されているものを用いることができる。また、防漏カフ３４及びレッグカフ３７としては、撥水性の単層又は多層構造の不織布等を用いることができる。
【００４６】
弾性部材（弾性部材２４、防漏カフ弾性部材３５及びレッグカフ弾性部材３８等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形、若しくは多角形状等の糸状（糸ゴム等）、又は紐状（平ゴム等）のもの等を好ましく用いることができる。
【００４７】
接着剤３９、及び弾性部材（弾性部材２４、防漏カフ弾性部材３５及びレッグカフ弾性部材３８等）を固定する弾性部材固定用接着剤としては、使い捨ておむつ等の吸収性物品に従来用いられている各種のホットメルト接着剤等を特に制限なく用いることができる。
【００４８】
上述した本発明の一実施形態のおむつ１を使用した際の作用効果について説明する。
おむつ１は、背側シート部材２Ｂの物品縦方向（Ｘ方向）の長さＬｂがサイドシール部Ｓの長さより長く、サイドシール部Ｓより下方に延出する背側延出部２１ｂを有している。背側延出部２１ｂのうち、吸収性本体３よりも物品横方向（Ｙ方向）の外方に位置する部位は、図７に示すおむつ１の着用状態（設計寸法（弾性部材の影響を一切排除した状態で平面状に広げたときの寸法と同じ）に対して２０％程度収縮した状態）において、着用者の臀部を被覆する臀部カバー部となるので、着用者の臀部の隠蔽性が向上しおむつの外観が向上する。また、おむつ１の腹側シート部材２Ａ及び背側シート部材２Ｂにおける背側本体部２０ｂでは、図６に示すように、ウエスト伸縮部Ｇ１及び胴回り下部伸縮部Ｇ２において、物品横方向（Ｙ方向）に伸長状態で配された弾性部材２４が収縮することにより、隣接する接合部列２５Ｌ，２５Ｌどうしの間に、外側シート２２及び内側シート２３からなる襞２Ｆが生じると共に、外側シート２２と内側シート２３との間に、襞２Ｆと襞２Ｆとに周囲を囲まれた中空部２Ｈが形成されるので着用時の蒸れが低減し装着感が向上する。そして、おむつ１では、図５に示すおむつ１の伸長状態において、少なくとも胴回り領域Ｂ３では、本体部接合部２６によって形成された１つの接合部列２６Ｌ（例えば図５中の接合部列２６Ｌ１）に着目して、該１つの接合部列２６Ｌ１の下方に位置する物品縦方向（Ｘ方向）に間欠的に配された複数の延出部接合部２７の内の少なくとも１個は、その物品横方向（Ｙ方向）中心が、該１つの接合部列２６Ｌを構成する本体部接合部２６の物品横方向（Ｙ方向）中心から物品横方向（Ｙ方向）にずれている。その為、胴回り領域Ｂ３の１つの接合部列２６Ｌ１の下方に位置する物品縦方向（Ｘ方向）に間欠的に配された複数の延出部接合部２７の内の少なくとも１個は、その物品横方向（Ｙ方向）中心が、該１つの接合部列２６Ｌを構成する本体部接合部２６の物品横方向（Ｙ方向）中心から物品横方向（Ｙ方向）にずれている。その為、おむつ１のウエスト開口部ＷＯ側から背側延出部２１ｂに向かって連続して延びる襞２Ｆが、物品横方向（Ｙ方向）にずれている物品横方向（Ｙ方向）中心２７１Ｇを有する延出部接合部２７１の位置を起点に屈曲し易くなり、図７に示すように、背側延出部２１ｂで着用者の臀部を柔らかく覆うことができる。
【００４９】
また、おむつ１では、図５に示すおむつ１の伸長状態において、接合部列２６Ｌ１と物品横方向（Ｙ方向）に隣り合う別の接合部列２６Ｌとの間隔２６ｄを二等分する物品縦方向（Ｘ方向）に延びる本体部二等分線２６ｈＬと、物品横方向（Ｙ方向）にずれている物品横方向（Ｙ方向）中心２７１Ｇを有する延出部接合部２７１と物品横方向（Ｙ方向）に隣り合う別の延出部接合部２７との間隔２７ｄを二等分する物品縦方向（Ｘ方向）に延びる延出部二等分線２７ｈＬとが、物品横方向（Ｙ方向）にずれている。その為、おむつ１のウエスト開口部ＷＯ側から背側延出部２１ｂに向かって連続して延びる襞２Ｆが、物品横方向（Ｙ方向）にずれている物品横方向（Ｙ方向）中心２７１Ｇを有する延出部接合部２７１の位置を起点に更に屈曲し易くなり、図７に示すように、背側延出部２１ｂで着用者の臀部を柔らかく覆うことができる。
【００５０】
また、図５に示す伸長状態のおむつ１においては、背側本体部２０ｂの本体部接合部２６の接合部列２６Ｌ及び背側延出部２１ｂの前記直下に位置する延出部接合部２７の１セットを構成する各延出部接合部２７が、物品横方向（Ｙ方向）に間隔２６ｄを空けて間欠的に配されている。そして、背側延出部２１ｂにおいては、前記直下に位置する延出部接合部２７の１セット以外の複数の延出部接合部２７が、物品横方向（Ｙ方向）に間隔２６ｄと等しい間隔２７ｄを空けて間欠的に配されている。その為、着用時のおむつ１の外観が向上する。
【００５１】
上述した効果を一層奏する観点から、本体部接合部２６の面積は、一定であることが好ましく、具体的には、０．５ｍｍ2以上９．０ｍｍ2以下であることが好ましく、０．８ｍｍ2以上３．０ｍｍ2以下であることが更に好ましい。ここで、本体部接合部２６の面積とは、図５に示すように、おむつ１の伸長状態を平面視した際の、本体部接合部２６の輪郭で囲まれた面積を意味し、おむつ１のように、複数個の接合部分から本体部接合部２６が形成されている場合には、各接合部分の面積の総和を意味する。
同様に、上述した効果を一層奏する観点から、延出部接合部２７の面積は、一定であることが好ましく、具体的には、０．４ｍｍ2以上８．０ｍｍ2以下であることが好ましく、０．６ｍｍ2以上２．０ｍｍ2以下であることが更に好ましい。ここで、延出部接合部２７の面積とは、本体部接合部２６の面積と同様に、図５に示すように、おむつ１の伸長状態を平面視した際の、延出部接合部２７の輪郭で囲まれた面積を意味する。
【００５２】
上述した効果を一層奏する観点から、前記１つの接合部列２６Ｌ１と物品横方向（Ｙ方向）に隣り合う別の接合部列２６Ｌとの間隔２６ｄは、一定であることが好ましく、具体的には、４ｍｍ以上２０ｍｍ以下であることが好ましく、５ｍｍ以上１０ｍｍ以下であることが更に好ましい。ここで、間隔２６ｄとは、図５に示すように、おむつ１の伸長状態を平面視した際の間隔を意味する。
同様に、上述した効果を一層奏する観点から、物品横方向（Ｙ方向）にずれている物品横方向（Ｙ方向）中心２７１Ｇを有する延出部接合部２７１と物品横方向（Ｙ方向）に隣り合う別の延出部接合部２７との間隔２７ｄは、一定であることが好ましく、具体的には、４ｍｍ以上２０ｍｍ以下であることが好ましく、５ｍｍ以上１０ｍｍ以下であることが更に好ましい。ここで、間隔２７ｄとは、間隔２６ｄと同様に、図５に示すように、おむつ１の伸長状態を平面視した際の間隔を意味する。
【００５３】
以上、本発明をその好ましい一実施形態に基づき説明したが、本発明は上述した実施形態に制限されず適宜変更可能である。
例えば、上述したおむつ１は、図５に示すように、少なくとも胴回り領域Ｂ３に延びる接合部列２６Ｌ１に着目して、該接合部列２６Ｌ１の直下に位置する延出部接合部２７の１セットを構成する各延出部接合部２７は、その物品横方向（Ｙ方向）中心２７Ｇが、該接合部列２６Ｌ１を構成する本体部接合部２６の物品横方向（Ｙ方向）中心２６Ｇと、物品横方向（Ｙ方向）では一致しているが、該１つの接合部列２６Ｌ１の下方に位置する全ての延出部接合部２７がずれていてもよい。具体的には、図８に示すおむつ１のように、前記１セットの延出部接合部２７の下方に位置する物品縦方向（Ｘ方向）に間欠的に配された複数の延出部接合部２７の全ては、各物品横方向（Ｙ方向）中心２７Ｇが、該接合部列２６Ｌを構成する本体部接合部２６の物品横方向（Ｙ方向）中心２６Ｇから物品横方向（Ｙ方向）にずれている。このように、全ての延出部接合部２７がずれていると、屈曲線が複数生じやすくなり、おむつ１のウエスト開口部ＷＯ側から背側延出部２１ｂに向かって連続して延びる襞２Ｆが、背側延出部２１ｂで更に屈曲し易くなり、背側延出部２１ｂで着用者の臀部を柔らかく覆うことができる。
【００５４】
また、図５に示すおむつ１では、前記１つの接合部列２６Ｌ１の前記直下に位置する延出部接合部２７の１セットを構成する各延出部接合部２７も、それ以外の複数の延出部接合部２７も、物品横方向（Ｙ方向）に間隔２６ｄと等しい間隔２７ｄを空けて間欠的に配されているが、間隔２６ｄと異なる間隔２７ｄを空けて配されていてもよい。また、背側延出部２１ｂにおいては、前記直下に位置する延出部接合部２７の１セットを構成する各延出部接合部２７も、それ以外の複数の延出部接合部２７も、間隔２７ｄを空けて間欠的に配されているが、異なる間隔を空けて配されていてもよい。
【００５５】
また、図５に示すおむつ１の背側延出部２１ｂにおいては、サイドシール部Ｓの物品縦方向（Ｘ方向）の下方に、延出部接合部２７が配されていないが、図９に示すおむつ１では、伸長状態において、サイドシール部Ｓの下方に、延出部接合部２７が物品縦方向（Ｘ方向）に間欠的に複数配されている。このように、サイドシール部Ｓの下方に、延出部接合部２７が物品縦方向（Ｘ方向）に間欠的に複数配されており、それらの延出部接合部２７を基準に、物品横方向（Ｙ方向）に、間隔２６ｄと異なる間隔２７ｄを空けて、物品横方向（Ｙ方向）に間欠的に配されている。その為、おむつ１のウエスト開口部ＷＯ側から背側延出部２１ｂに向かって連続して延びる襞２Ｆが、背側延出部２１ｂで更に屈曲し易くなり、背側延出部２１ｂで着用者の臀部を柔らかく覆うことができる。
【００５６】
また、図５に示すおむつ１においては、延出部接合部２７の面積と本体部接合部２６の面積とは同じであるが、異なっていてもよい。具体的には、図１０に示すおむつ１のように、伸長状態において、延出部接合部２７の面積が本体部接合部２６の面積よりも小さくなっていてもよい。図１０に示すおむつ１のように、延出部接合部２７の面積が本体部接合部２６の面積よりも小さくなっていると、背側延出部２１ｂの剛性が低下し易くなり、背側延出部２１ｂで着用者の臀部を更に柔らかく覆うことができる。
【００５７】
また、図５に示すおむつ１の背側本体部２０ｂにおいては、おむつ１の伸長状態において、接合部列２６Ｌが、ウエスト領域Ｂ１から胴回り領域Ｂ３に亘って物品縦方向（Ｘ方向）に一直線状に並んで配されているが、胴回り領域Ｂ３に位置する接合部列２６Ｌに対して、ウエスト領域Ｂ１及び腸骨領域Ｂ２に位置する接合部列２６Ｌが一直線状に並んで配されていなくてもよい。
好適に、図１１に示すおむつ１の伸長状態においては、胴回り領域Ｂ３の１つの接合部列２６Ｌ３に着目して、該１つの接合部列２６Ｌ３の上方に位置する物品縦方向（Ｘ方向）に間欠的に配された１つの接合部列２６Ｌ１２を構成する本体部接合部２６１，２６２の内の少なくとも１個は、その物品横方向（Ｙ方向）中心２６１Ｇ，２６２Ｇが、該１つの接合部列２６Ｌ３を構成する本体部接合部２６３の物品横方向（Ｙ方向）中心２６３Ｇから物品横方向（Ｙ方向）にずれている。
このように、ウエスト領域Ｂ１及び腸骨領域Ｂ２それぞれの１つの接合部列２６Ｌ１２を構成する本体部接合部２６１，２６２の中心２６１Ｇ，２６２Ｇを、胴回り領域Ｂ３の１つの接合部列２６Ｌ３を構成する本体部接合部２６３の中心２６３Ｇから物品横方向（Ｙ方向）にずらすと共に、胴回り領域Ｂ３の１つの接合部列２６Ｌ３を構成する本体部接合部２６３の中心２６３Ｇを、背側延出部２０ｂの延出部接合部２７の物品横方向（Ｙ方向）の中心２７Ｇから物品横方向（Ｙ方向）にずらすことで、おむつ１のウエスト開口部ＷＯ側から背側延出部２１ｂに向かって連続して延びる襞２Ｆが、胴回り領域Ｂ３及び背側延出部２１ｂで屈曲し易くなり、背側延出部２１ｂを含めた、着用者の臀部周り全体のフィット性を向上させることができる。
【００５８】
また好適に、図１２に示すおむつ１の伸長状態において、胴回り領域Ｂ３の１つの接合部列２６Ｌ３に着目して、該１つの接合部列２６Ｌ３の上方に位置し、物品縦方向（Ｘ方向）に間欠的に配された腸骨領域Ｂ２の１つの接合部列２６Ｌ２を構成する本体部接合部２６２の内の少なくとも１個は、その物品横方向（Ｙ方向）中心２６２Ｇが、胴回り領域Ｂ３の１つの接合部列２６Ｌ３を構成する本体部接合部２６３の物品横方向（Ｙ方向）中心２６３Ｇから物品横方向（Ｙ方向）にずれている。
具体的に、図１２に示すおむつ１の伸長状態において、胴回り領域Ｂ３の１つの接合部列２６Ｌ３に着目して、腸骨領域Ｂ２の接合部列２６Ｌ２を構成する本体部接合部２６２は、その物品横方向（Ｙ方向）中心２６２Ｇが、胴回り領域Ｂ３の１つの接合部列２６Ｌ３を構成する本体部接合部２６３の物品横方向（Ｙ方向）中心２６３Ｇから物品横方向（Ｙ方向）にずれている。また、腸骨領域Ｂ２の１つの接合部列２６Ｌ２に着目して、ウエスト領域Ｂ１の接合部列２６Ｌ１を構成する本体部接合部２６１は、その物品横方向（Ｙ方向）中心２６１Ｇが、腸骨領域Ｂ２の１つの接合部列２６Ｌ２を構成する本体部接合部２６２の物品横方向（Ｙ方向）中心２６２Ｇから物品横方向（Ｙ方向）にずれている。
このように、腸骨領域Ｂ２の１つの接合部列２６Ｌ２を構成する本体部接合部２６２の物品横方向（Ｙ方向）中心２６２Ｇを、胴回り領域Ｂ３の１つの接合部列２６Ｌ３を構成する本体部接合部２６３の物品横方向（Ｙ方向）中心２６３Ｇから物品横方向（Ｙ方向）にずらすと共に、ウエスト領域Ｂ１の接合部列２６Ｌ１を構成する本体部接合部２６１の物品横方向（Ｙ方向）中心２６１Ｇを、腸骨領域Ｂ２の１つの接合部列２６Ｌ２を構成する本体部接合部２６２の物品横方向（Ｙ方向）中心２６２Ｇから物品横方向（Ｙ方向）にずらし、且つ、胴回り領域Ｂ３の１つの接合部列２６Ｌ３を構成する本体部接合部２６３の中心２６３Ｇを、背側延出部２０ｂの延出部接合部２７の物品横方向（Ｙ方向）の中心２７Ｇから物品横方向（Ｙ方向）にずらすことで、おむつ１のウエスト開口部ＷＯ側から背側延出部２１ｂに向かって連続して延びる襞Ｆが、腸骨領域Ｂ２、胴回り領域Ｂ３及び背側延出部２１ｂで屈曲しやすくなり、背側延出部２１ｂを含めた、着用者の臀部回り全体のフィット性を向上させることができる。
【００５９】
また、本発明のパンツ型吸収性物品は、幼児又は成人用のパンツ型使い捨ておむつの他、パンツ型の生理用ナプキン等であってもよい。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００６０】
上述した実施形態に関し、本発明は更に以下のパンツ型吸収性物品１を開示する。
＜１＞
着用者の腹側に配される腹側シート部材と、着用者の背側に配される背側シート部材と、該腹側シート部材及び該背側シート部材に架け渡して固定された吸収性本体とを具備し、該腹側シート部材と該背側シート部材の両側縁部に、該腹側シート部材と該背側シート部材とが接合されて形成された一対のサイドシール部を有するパンツ型吸収性物品であって、前記背側シート部材は、物品縦方向の長さが前記サイドシール部の長さより長く、一対の前記サイドシール部間に位置する背側本体部と、該背側本体部及び該サイドシール部より下方に延出する背側延出部とを有し、前記背側本体部は、着用者の腸骨稜から上前腸骨棘にかけての部位に当接する腸骨領域と、該腸骨領域の上方に位置するウエスト領域と、該腸骨領域の下方に位置する胴回り領域とを有し、前記腹側シート部材及び前記背側シート部材は、前記パンツ型吸収性物品の外面をなす外側シートと、該外側シートの内面に配された内側シートと、該外側シートと該内側シートとの間に物品横方向に伸長状態で配された複数本の糸状の弾性部材とを備え、前記背側シート部材の前記背側本体部では、前記外側シート及び前記内側シートが、物品縦方向に隣り合う前記弾性部材どうしの間に配された本体部接合部で互いに接合され、前記背側シート部材の前記背側延出部では、前記外側シート及び前記内側シートが、物品縦方向に隣り合う前記弾性部材どうしの間に配された延出部接合部で互いに接合されており、前記パンツ型吸収性物品の伸長状態において、少なくとも前記胴回り領域では、前記本体部接合部が物品縦方向に平行に間欠的に配された接合部列が、物品横方向に間欠的に配されており、１つの該接合部列に着目して、該１つの接合部列の下方に位置する物品縦方向に間欠的に配された複数の前記延出部接合部の内の少なくとも１個は、その物品横方向中心が、該１つの接合部列を構成する前記本体部接合部の物品横方向中心から物品横方向にずれているパンツ型吸収性物品。
＜２＞
前記パンツ型吸収性物品の伸長状態において、前記１つの接合部列と物品横方向に隣り合う別の接合部列との間隔を二等分する物品縦方向に延びる本体部二等分線と、前記物品横方向にずれている物品横方向中心を有する延出部接合部と前記別の接合部列の下方に位置し且つ物品横方向に隣り合う別の延出部接合部との間隔を二等分する物品縦方向に延びる延出部二等分線とは、物品横方向にずれている、前記＜１＞に記載のパンツ型吸収性物品。
＜３＞
前記１つの接合部列の下方に位置する物品縦方向に間欠的に配された複数の前記延出部接合部の全ては、各物品横方向中心が、該１つの接合部列を構成する前記本体部接合部の物品横方向中心から物品横方向にずれている、前記＜１＞又は＜２＞に記載のパンツ型吸収性物品。
＜４＞
前記パンツ型吸収性物品の伸長状態において、前記１つの接合部列と物品横方向に隣り合う別の接合部列との間隔と、前記物品横方向にずれている物品横方向中心を有する延出部接合部と物品横方向に隣り合う別の延出部接合部との間隔とが、等しい、前記＜１＞〜＜３＞の何れか１に記載のパンツ型吸収性物品。
＜５＞
前記パンツ型吸収性物品の伸長状態において、前記サイドシール部の下方に、前記延出部接合部が物品縦方向に間欠的に複数配されている、前記＜１＞〜＜４＞の何れか１に記載のパンツ型吸収性物品。
【００６１】
＜６＞
前記パンツ型吸収性物品の伸長状態において、前記延出部接合部の面積は、前記本体部接合部の面積よりも小さい、前記＜１＞〜＜５＞の何れか１に記載のパンツ型吸収性物品。
＜７＞
前記パンツ型吸収性物品の伸長状態において、前記１つの接合部列に着目して、該１つの接合部列の上方に位置し、物品縦方向に間欠的に配された１つの接合部列を構成する前記本体部接合部の内の少なくとも１個は、その物品横方向中心が、前記１つの接合部列を構成する前記本体部接合部の物品横方向中心から物品横方向にずれている、前記＜１＞〜＜６＞の何れか１に記載のパンツ型吸収性物品。
＜８＞
前記パンツ型吸収性物品の伸長状態において、前記１つの接合部列に着目して、該１つの接合部列の上方に位置し、物品縦方向に間欠的に配された前記腸骨領域の１つの接合部列を構成する前記本体部接合部の内の少なくとも１個は、その物品横方向中心が、前記１つの接合部列を構成する前記本体部接合部の物品横方向中心から物品横方向にずれている、前記＜１＞〜＜７＞の何れか１に記載のパンツ型吸収性物品。
＜９＞
伸長状態においては、前記１つの接合部列に着目して、該接合部列の直下に位置する延出部接合部の１セットを構成する各延出部接合部は、その物品横方向（Ｙ方向）中心が、該接合部列を構成する本体部接合部の物品横方向（Ｙ方向）中心と、物品横方向（Ｙ方向）では一致し、１つの接合部列の下方に位置する、直下に位置する延出部接合部の１セット以外の複数の延出部接合部は、その物品横方向（Ｙ方向）中心が、該接合部列を構成する該本体部接合部の物品横方向（Ｙ方向）中心と、物品横方向（Ｙ方向）でずれている、＜１＞〜＜８＞の何れか１に記載のパンツ型吸収性物品。
＜１０＞
伸長状態において、前記１つの接合部列と物品横方向（Ｙ方向）に隣り合う別の接合部列との間隔を二等分する物品縦方向（Ｘ方向）に延びる本体部二等分線と、物品横方向（Ｙ方向）にずれている物品横方向（Ｙ方向）中心を有する延出部接合部と前記別の接合部列の下方に位置し且つ物品横方向（Ｙ方向）に隣り合う別の延出部接合部との間隔を二等分する物品縦方向（Ｘ方向）に延びる延出部二等分線とは、物品横方向（Ｙ方向）にずれている、前記＜２＞〜＜９＞の何れか１に記載のパンツ型吸収性物品。
【００６２】
＜１１＞
前記本体部接合部の面積は、一定であることが好ましく、０．５ｍｍ2以上９．０ｍｍ2以下であることが好ましく、０．８ｍｍ2以上３．０ｍｍ2以下であることが更に好ましい、前記＜１＞〜＜１０＞の何れか１に記載のパンツ型吸収性物品。
＜１２＞
前記延出部接合部の面積は、一定であることが好ましく、０．４ｍｍ2以上８．０ｍｍ2以下であることが好ましく、０．６ｍｍ2以上２．０ｍｍ2以下であることが更に好ましい、前記＜１＞〜＜１１＞の何れか１に記載のパンツ型吸収性物品。
＜１３＞
前記１つの接合部列と物品横方向（Ｙ方向）に隣り合う別の接合部列との間隔は、一定であることが好ましく、４ｍｍ以上２０ｍｍ以下であることが好ましく、５ｍｍ以上１０ｍｍ以下であることが更に好ましい、前記＜２＞〜＜１２＞の何れか１に記載のパンツ型吸収性物品。
＜１４＞
物品横方向（Ｙ方向）にずれている延出部接合部と物品横方向（Ｙ方向）に隣り合う別の延出部接合部との間隔は、一定であることが好ましく、４ｍｍ以上２０ｍｍ以下であることが好ましく、５ｍｍ以上１０ｍｍ以下であることが更に好ましい、前記＜２＞〜＜１３＞の何れか１に記載のパンツ型吸収性物品。
＜１５＞
少なくとも胴回り領域に延びる前記接合部列に着目して、該接合部列の直下に位置する延出部接合部の１セットを構成する各延出部接合部は、その物品横方向（Ｙ方向）中心Ｇが、該接合部列を構成する本体部接合部の物品横方向（Ｙ方向）中心と、物品横方向（Ｙ方向）では一致しているが、該１セットの延出部接合部２７の下方に位置する全ての延出部接合部がずれていている、前記＜１＞〜＜１４＞の何れか１に記載のパンツ型吸収性物品。
【００６３】
＜１６＞
前記１つの接合部列の下方に位置する物品縦方向（Ｘ方向）に間欠的に配された複数の延出部接合部の全ては、各物品横方向（Ｙ方向）中心が、該接合部列を構成する前記本体部接合部の物品横方向（Ｙ方向）中心から物品横方向（Ｙ方向）にずれている、前記＜１＞〜＜１５＞の何れか１に記載のパンツ型吸収性物品。
＜１７＞
前記１つの接合部列の前記直下に位置する延出部接合部の１セットを構成する各延出部接合部も、それ以外の前記複数の延出部接合部も、物品横方向（Ｙ方向）に、間隔２６ｄと異なる間隔２７ｄを空けて配されている、前記＜１６＞に記載のパンツ型吸収性物品。
＜１８＞
前記背側延出部においては、前記直下に位置する延出部接合部の１セットを構成する各延出部接合部も、それ以外の前記複数の延出部接合部も、物品横方向（Ｙ方向）に異なる間隔を空けて配されている、前記＜１６＞又は＜１７＞に記載のパンツ型吸収性物品。
＜１９＞
伸長状態において、前記サイドシール部の下方には、前記延出部接合部が物品縦方向（Ｘ方向）に間欠的に複数配されており、それらの該延出部接合部を基準に、物品横方向（Ｙ方向）に、間隔２６ｄと異なる間隔２７ｄを空けて、物品横方向（Ｙ方向）に間欠的に配されている、前記＜１＞〜＜１８＞の何れか１に記載のパンツ型吸収性物品。
＜２０＞
前記胴回り領域の１つの接合部列に着目して、該１つの接合部列の上方に位置する物品縦方向（Ｘ方向）に間欠的に配された１つの接合部列を構成する本体部接合部の内の少なくとも１個は、その物品横方向（Ｙ方向）中心が、該１つの接合部列を構成する該本体部接合部の物品横方向（Ｙ方向）中心から物品横方向（Ｙ方向）にずれており、前記ウエスト領域及び前記腸骨領域の１つの接合部列を構成する本体部接合部の中心を、該胴回り領域の１つの接合部列を構成する該本体部接合部の中心から物品横方向（Ｙ方向）にずらすと共に、該胴回り領域の１つの接合部列を構成する該本体部接合部の中心を、前記背側延出部の延出部接合部の物品横方向（Ｙ方向）の中心から物品横方向（Ｙ方向）にずらしている、前記＜１＞〜＜１９＞の何れか１に記載のパンツ型吸収性物品。
【００６４】
＜２１＞
前記胴回り領域の１つの接合部列に着目して、前記腸骨領域の接合部列を構成する本体部接合部は、その物品横方向（Ｙ方向）中心が、該胴回り領域の該１つの接合部列を構成する該本体部接合部の物品横方向（Ｙ方向）中心から物品横方向（Ｙ方向）にずれており、該腸骨領域の１つの接合部列に着目して、前記ウエスト領域の接合部列を構成する本体部接合部は、その物品横方向（Ｙ方向）中心が、該腸骨領域の該１つの接合部列を構成する該本体部接合部の物品横方向（Ｙ方向）中心から物品横方向（Ｙ方向）にずれている、前記＜１＞〜＜２０＞の何れか１に記載のパンツ型吸収性物品。
＜２２＞
前記サイドシール部は、物品縦方向（Ｘ方向）の長さが、前記腹側シート部材の長さと同じになっており、前記背側シート部材の長さとの関係では、該サイドシール部は、該背側シート部材の長さよりも短く形成されている、前記＜１＞〜＜２１＞の何れか１に記載のパンツ型吸収性物品。
＜２３＞
前記腹側シート部材に配されている弾性部材と、前記背側シート部材に配されている弾性部材は同種のものである、前記＜１＞〜＜２２＞の何れか１に記載のパンツ型吸収性物品。
＜２４＞
前記弾性部材は、物品横方向（Ｙ方向）の両端部間の領域において前記外側シート及び前記内側シートのいずれにも非接合状態で配されている、前記＜１＞
〜＜２３＞の何れか１に記載のパンツ型吸収性物品。
＜２５＞
前記弾性部材は、物品横方向（Ｙ方向）の両端部においてのみ前記外側シート及び前記内側シートと固定されている、前記＜１＞〜＜２４＞の何れか１に記載のパンツ型吸収性物品。
【００６５】
＜２６＞
前記腹側シート部材では、ウエスト伸縮部は、物品縦方向（Ｘ方向）において、前記吸収性本体を構成する前記吸収体の縦方向（Ｘ方向）の腹側領域側の端部の端縁よりも物品縦方向Ｘの外方に位置するエンドフラップに形成されている、前記＜１＞〜＜２５＞の何れか１に記載のパンツ型吸収性物品。
＜２７＞
前記腹側シート部材では、前記胴回り下部伸縮部は、物品縦方向（Ｘ方向）において、ウエスト伸縮部の股下領域側の下端と前記サイドシール部の下端との間に位置するサイドフラップに形成されている、前記＜１＞〜＜２６＞の何れか１に記載のパンツ型吸収性物品。
＜２８＞
各前記本体部接合部及び各前記延出部接合部は、物品縦方向（Ｘ方向）に間隔を空けて配された２個の矩形状の接合部分から形成されている、前記＜１＞〜＜２７＞の何れか１に記載のパンツ型吸収性物品。
【符号の説明】
【００６６】
１  パンツ型使い捨ておむつ（パンツ型吸収性物品）
２Ａ  腹側シート部材
２ａ１  側縁部
２Ｂ  背側シート部材
２ｂ１  側縁部
２０ｂ  背側本体部
２１ｂ  背側延出部
２２  外側シート
２３  内側シート
２４  弾性部材
２５  接合部
２５Ｌ  接合部列
２６  本体部接合部
２６Ｌ  接合部列
２７  延出部接合部
２７Ｌ  接合部列
２Ｆ  襞
２Ｈ  中空部
３  吸収性本体
３１  表面シート
３２  裏面シート
３３  吸収体
３４  防漏カフ
３５  防漏カフ弾性部材
３６  外装シート
３７  レッグカフ
３８  レッグカフ弾性部材
３９  接着剤
Ｓ  サイドシール部、ＷＯ  ウエスト開口部、ＬＯ  レッグ開口部
Ａ  腹側領域、Ｂ  背側領域、Ｃ  股下領域
【図１】
0006626749.tif 000002
【図２】
0006626749.tif 000003
【図３】
0006626749.tif 000004
【図４】
0006626749.tif 000005
【図５】
0006626749.tif 000006
【図６】
0006626749.tif 000007
【図７】
0006626749.tif 000008
【図８】
0006626749.tif 000009
【図９】
0006626749.tif 000010
【図１０】
0006626749.tif 000011
【図１１】
0006626749.tif 000012
【図１２】
0006626749.tif 000013